(57)【要約】【課題】電線を曲げるようなテンションが掛かったとき、電線を固定する電線固定部の破損等を極力防止できる電線固定構造を提供する。【解決手段】ハウジング２に基端３１が固定され、先端３２が自由端とされた電線固定部３と、ハウジング２内から導き出される複数本の電線４を集束して電線固定部３に固定する結束バンド５と、電線固定部３と電線４とを覆うコルゲートチューブ６とを有し、電線固定部３の基端３１側が屈曲して屈曲部３３が形成されている。【選択図】図１
2015046294.tif 000002
【特許請求の範囲】
【請求項１】
ハウジングに基端が固定され、先端が自由端とされた電線固定部を有し、
前記ハウジング内から導き出される電線を前記電線固定部に固定して所望の方向に配索する電線固定構造であって、
前記電線固定部の基端側が屈曲して屈曲部が形成されたことを特徴とする電線固定構造。
【請求項２】
請求項１記載の電線固定構造であって、
前記電線固定部と前記電線固定部に固定された前記電線とを覆う保護チューブを有し、
前記ハウジングには、前記電線固定部の撓み変形に対して、前記保護チューブのチューブ基端の振れを規制するチューブ突き当て部が設けられたことを特徴とする電線固定構造。
【請求項３】
請求項２記載の電線固定構造であって、
前記電線固定部は、前記ハウジングの壁部の角で、且つ、前記壁部の直交方向に突出され、
前記チューブ突き当て部は、前記ハウジングの前記壁部と、前記電線固定部を挟む位置より前記壁部に沿って突出された一対の突壁であることを特徴とする電線固定構造。
【発明の詳細な説明】
【技術分野】
【０００１】
本発明は、ハウジング内から導き出される電線を電線固定部に固定する電線固定構造に関する。
【背景技術】
【０００２】
従来より、ハウジング内から導き出される電線を電線固定部に固定する電線固定構造が提案されている （例えば、特許文献１参照）。このような電線固定構造を適用した従来のコネクタが図８〜図１１に示されている。このコネクタ１００は、図８及び図９に示すように、複数の端子収容室１０２が設けられたハウジング１０１と、このハウジング１０１に回動自在に装着されたレバー１０３とを備えている。各端子収容室１０２には、電線１２０に接続された端子１５０が収容される。又、ハウジング１０１には、基端１１１が固定され、先端１１２が自由端とされた片持ち梁状の電線固定部１１０が設けられている。この電線固定部１１０には、ハウジング１０１内から導き出される複数の電線１２０が結束バンド１３０で固定されている。電線固定部１１０で固定された電線１２０の箇所は、コルゲートチューブ１４０によって覆われている。
【０００３】
次に、コネクタ１００の組み付け手順を説明する。先ず、ハウジング１０１の各端子収容室１０２に端子１５０を収容する。次に、ハウジング１０１内から導き出される各電線１２０を図１０の矢印方向に折り曲げ、結束バンド１３０によって電線固定部１１０に固定する。最後に、図１１に示すように、電線固定部１１０と電線１２０を覆うようにコルゲートチューブ１４０を装着すれば完了する。
【先行技術文献】
【特許文献】
【０００４】
【特許文献１】特許第３９４８５２８号公報
【発明の概要】
【発明が解決しようとする課題】
【０００５】
しかしながら、前記従来例では、図８（ａ）のＡ１矢印やＡ２矢印で示すように、電線固定部１１０に固定された電線１２０を曲げるようなテンションが掛かると、電線１２０より電線固定部１１０に曲げ力が伝達されて電線固定部１１０が撓み変形する。電線固定部１１０が撓み変形すると、その基端１１１に最大曲げ応力が作用する。そのため、過度の荷重が電線固定部１１０に作用すると、基端１１１で破損する恐れがあり、過度の荷重によっても電線固定部１１０が極力破損しないようにしたいという要請がある。
【０００６】
そこで、未発明は、前記した課題を解決すべくなされたものであり、電線を曲げるようなテンションが掛かるとき、電線を固定する電線固定部の破損等を極力防止できる電線固定構造を提供することを目的とする。
【課題を解決するための手段】
【０００７】
本発明は、ハウジングに基端が固定され、先端が自由端とされた電線固定部を有し、前記ハウジング内から導き出される電線を前記電線固定部に固定して所望の方向に配索する電線固定構造であって、前記電線固定部の基端側が屈曲して屈曲部が形成されたことを特徴とする電線固定構造である。
【０００８】
前記電線固定部と前記電線固定部に固定された前記電線とを覆う保護チューブを有し、前記ハウジングには、前記電線固定部の撓み変形に対して、前記保護チューブのチューブ基端の振れを規制するチューブ突き当て部が設けられたものを含む。前記電線固定部は、前記ハウジングの壁部の角で、且つ、前記壁部の直交方向に突出され、前記チューブ突き当て部は、前記ハウジングの前記壁部と、前記電線固定部を挟む位置より前記壁部に沿って突出された一対の突壁であるものを含む。
【発明の効果】
【０００９】
本発明によれば、電線固定部に固定した電線を曲げるようなテンションが作用すると、電線より電線固定部に曲げ力が伝達されて電線固定部が撓み変形するが、電線固定部の基端側には屈曲部が形成されているため、電線固定部の実質撓み寸法がストレート形状に較べて長くなり、電線固定部の基端に作用する最大応力が軽減される。これによって、電線を固定する電線固定部の破損等を極力防止できる。
【図面の簡単な説明】
【００１０】
【図１】本発明の一実施形態を示し、（ａ）はコネクタの平面図、（ｂ）はコネクタ（電線と結束バンドは、不図示）の側面図である。
【図２】本発明の一実施形態を示し、コネクタの分解斜視図である。
【図３】本発明の一実施形態を示し、ハウジング内に電線付き端子を挿入する状態の断面図である。
【図４】本発明の一実施形態を示し、ハウジング内から導き出した電線を電線固定部に沿う方向へ折り曲げた状態の断面図である。
【図５】本発明の一実施形態を示し、各電線を電線固定部に固定した状態の平面図である。
【図６】本発明の一実施形態を示し、各電線と電線固定部をコルゲートチューブに挿通した状態の平面図である。
【図７】ハウジングの変形例の斜視図である。
【図８】従来例を示し、（ａ）はコネクタの平面図、（ｂ）はハウジングの平面図である。
【図９】従来例を示し、コネクタの分解斜視図である。
【図１０】従来例を示し、ハウジング内から導き出した各電線を電線固定部に固定した状態の平面図である。
【図１１】従来例を示し、各電線と電線固定部をコルゲートチューブに挿通した状態の平面図である。
【発明を実施するための形態】
【００１１】
以下、本発明の実施形態を図面に基づいて説明する。
【００１２】
図１〜図６は本発明の一実施形態を示す。この実施形態では、コネクタＡの電線固定箇所に本発明の電線固定構造１が適用されている。以下、説明する。
【００１３】
コネクタＡは、複数の端子収容部２１を有するハウジング２を有する。各端子収容室２１には、端子７がそれぞれ装着されている。端子７には、電線４が接続されている。各電線４は、ハウジング２の後端面より外部に導き出されている。外部に導き出された複数の電線４は、電線固定構造によって集束され、且つ、所望の方向に配策される。
【００１４】
電線固定構造１は、ハウジング２に基端３１が固定され、先端３２が自由端とされた板状の電線固定部３と、ハウジング２内から導き出される複数本の電線４を集束して電線固定部３に固定する結束バンド５と、電線固定部３と電線固定部３に固定された電線４とを覆う保護チューブであるコルゲートチューブ６と、コルゲートチューブ６の基端を突き当てるチューブ突き当て部２２とを有する。
【００１５】
電線固定部３は、基端３１側に屈曲部３３に形成されているが、屈曲部３３より先端側は壁部２３に直交する方向に延びている。屈曲部３３は、単一の円弧状に形成されている。電線固定部３は、ハウジング２の壁部２３の角より、壁部２２の直交方向（図１（ａ）の右方向）に突出している。電線固定部３は板状であり、厚み寸法が比較的小さく、且つ、厚み寸法より幅寸法がかなり大きい。電線固定部３の裏面には、突出方向に沿って三条のリブ３ａ（図２に示す）が突設されている。電線固定部３は、このような形態であるため、電線固定部３の厚み方向（図１（ａ）の上下方向）に撓み変形が可能であるが、幅方向にはほとんど撓み変形しない。
【００１６】
チューブ突き当て部２２は、ハウジング２の電線固定部３側の壁部２３と、電線固定部３を挟む位置より壁部２３に沿って突出された一対の突壁２４とから構成されている。壁部２３には、図１（ｂ）に示すように、コルゲートチューブ６のチューブ基端６１の振れ規制領域Ｂ１が形成され、同様に、各突壁２４にも、コルゲートチューブ６のチューブ基端６１の振れ規制領域Ｂ２、Ｂ３が形成されている。
【００１７】
次に、コネクタＡの組み付け手順を説明する。先ず、図３に示すように、ハウジング２の各端子収容室２１に端子７を収容する。次に、図４に示すように、ハウジング２内から導き出される各電線４を図１０の矢印方向に折り曲げて一対の突壁２４の間より挿入することで電線４を電線固定部３に沿って配索する。次に、複数の電線４を集束し、結束バンド５によって電線固定部３に固定する。次に、図６に示すように、電線固定部３及び各電線４をコルゲートチューブ６に挿通して、そのチューブ基端６１をハウジング２の壁部２３と一対の突壁２４とに当接させる。最終的に、結束バンドやハーネステープ（図示せず）によりコルゲートチューブ６をハウジング２と電線４に固定すれば完了する。
【００１８】
図１の矢印Ａ１，Ａ２にて示すように、電線４を曲げるようなテンションが作用すると、電線４より電線固定部３に曲げ力が伝達されて電線固定部３が厚み方向に撓み変形するが、電線固定部３の基端３１側には屈曲部３３が形成されているため、電線固定部３の実質撓み寸法がストレート形状に較べて長くなり、電線固定部３の基端３１に作用する最大応力が軽減される。
【００１９】
また、電線４を曲げるようなテンションが作用すると、電線４より電線固定部３及びコルゲートチューブ６に曲げ力が伝達されて電線固定部３と共にコルゲートチューブ６も撓み変形するが、この撓み変形に際してコルゲートチューブ６はそのチューブ基端６１がチューブ突き当て部２２の振れ規制領域Ｂ１〜Ｂ３によって位置保持されて撓み変形するため、 電線４からの曲げ力に電線固定部３と共にコルゲートチューブ６も撓み変形によっても対抗する。例えば、電線４を図１（ａ）の矢印Ａ１で示す方向に曲げるようなテンションが作用すると、チューブ基端６１が壁部２３の振れ規制領域Ｂ１により位置保持された状態でコルゲートチューブ６も撓み変形するため、電線４からの曲げ力をコルゲートチューブ６も受け、コルゲートチューブ６の図１（ａ）の矢印Ａ１で示す方向への振れが規制される。また、電線４を図１（ａ）の矢印Ａ２で示す方向に曲げるようなテンションが作用すると、チューブ基端６１が一対の突壁２４の振れ規制領域Ｂ２、Ｂ３により位置保持された状態でコルゲートチューブ６も撓み変形するため、電線４からの曲げ力をコルゲートチューブ６も受け、コルゲートチューブ６の図１（ａ）の矢印Ａ２で示す方向への振れが規制される。
【００２０】
以上説明したように、電線固定部３には、電線固定部３の基端３１側が屈曲して屈曲部３３が形成されているので、電線固定部３に固定された電線４を曲げるようなテンションが作用した場合、上記した理由によって、電線固定部３の基端３１に作用する最大応力が軽減され、電線４を固定する電線固定部３の破損等を極力防止できる。
【００２１】
また、電線４を曲げるようなテンションが作用した場合、電線４からの曲げ力に電線固定部３と共にコルゲートチューブ６も撓み変形によっても対抗するので、電線固定部３の曲げ変形を小さくでき、電線固定部３の基端３１に作用する最大応力を更に軽減でき、電線固定部３の破損等を更に有効に防止できる。また、電線固定部３の曲げ変形を小さくできることによって、電線４の過剰変形による悪影響も防止できる。
【００２２】
更に、ハウジング２内から引き出された電線４を一対の突壁２４の間より挿入することで電線４を電線固定部３に沿って配索できるため、電線４の電線固定部３への固定作業を容易としつつ電線固定部３の破損等を極力防止できる。
【００２３】
なお、上記実施形態では、結束バンド５を電線４と電線固定部３に巻き掛けることにより各電線４を集束して電線固定部３に固定する場合を例示したが、図７に示すように、電線固定部３に結束バンド５を挿通する挿通孔３４を設けて、結束バンド５を挿通孔３４に挿通し、電線４を集束して電線固定部３に固定しても良い。
【００２４】
また、上記実施形態では、結束バンド５により電線４を電線固定部３に固定する場合を例示したが、結束バンド５の代わりに、ハーネステープを用いても良い。
【符号の説明】
【００２５】
１  電線固定構造
２  ハウジング
３  電線固定部
４  電線
６  コルゲートチューブ（保護チューブ）
２２  チューブ突き当て部
２３  壁部
２４  突壁
３１  基端
３２  先端
３３  屈曲部
６１  チューブ基端
【図１】
2015046294.tif 000003
【図２】
2015046294.tif 000004
【図３】
2015046294.tif 000005
【図４】
2015046294.tif 000006
【図５】
2015046294.tif 000007
【図６】
2015046294.tif 000008
【図７】
2015046294.tif 000009
【図８】
2015046294.tif 000010
【図９】
2015046294.tif 000011
【図１０】
2015046294.tif 000012
【図１１】
2015046294.tif 000013